(57)【特許請求の範囲】
【請求項１】
水を満たした容器（１）と、矩形で多孔質の蒸発板（２）と、該蒸発板（２）に被着させる吸水性素材（３）とからなり、前記容器（１）内の底面中央部には、該容器（１）の前面から複数列の係止突起（４）が設けられ、前記蒸発板（２）は、外枠（２ａ）に中枠（２ｂ）を密接状態に収納して上下に摺動可能に形設し、前記吸水性素材（３）を被着させた前記蒸発板（２）の下端を、前記係止突起（４）の適宜な位置に係止することにより、ストーブの火力に合わせて前記蒸発板（２）の蒸発面積と傾斜角を、任意に変えられることを特徴とする簡易加湿器。
【発明の詳細な説明】
【技術分野】
【０００１】
本発明は、蒸発板の面積と傾斜角を変えられる室内用の簡易加湿器に関する。
【背景技術】
【０００２】
冬期間は、冷たい大気中に含まれる水分量（水蒸気）が少ないために、空気は常に乾燥状態にある。  また室内においては、強制吸排気式暖房機の普及による加温でさらに乾燥化が進む。
冬期間における室内の快適な相対湿度は、空気中の湿度が４０〜５５％程度と言われているが、実際には３０％を切り２０％台になることも多い。
【０００３】
寒冷地の暖房器具としては従来から主に石油ストーブが用いられているが、石油ストーブには燃焼装置の構造等の仕組みや、放熱方法の種類をはじめ様々なタイプがある。
従来から主流の燃焼部が露出した反射式ストーブや対流式ストーブでは、上に水を張ったヤカンや鍋等の器を載せて水蒸気を発生させ、適度な湿度を確保できるものであった。
また、ストーブの周囲に洗濯物等を干して室内の乾燥化を防ぐ方法も古くから用いられてきた。
【０００４】
しかしながら、昨今の寒冷地住宅事情は断熱材の発達とともに気密性が重視され、マンション住宅や一般住宅等では、熱を逃がさない構造のいわゆる高気密住宅が多く採用されている。
また、健康志向の高まりから、室内空気を排気ガスで汚染しない構造の暖房機が主流となっており、安全面からも燃焼部が内蔵されている強制給排気式ストーブ（以降ＦＦ式ストーブと称す）が多く採用される傾向にある。  
なお、毛細管現象を活用した簡易加湿器では実登３１３４３６９号公報がある。（特許文献１）  
【先行技術文献】
【特許文献】
【０００５】
【特許文献１】実登３１３４３６９号公報
【発明の概要】
【発明が解決しようとする課題】
【０００６】
上記の要因が室内空気の乾燥化を促進する結果になっており、室内湿度が４０％以下になると肌荒れやのどの痛み、またインフルエンザウイルス等が活動しやすくなるために、インフルエンザや風邪の罹患につながるなどの問題もある。
ＦＦ式ストーブは、水蒸気を多く含む排気ガスを直接屋外に排出するため室内温度は上がるものの、他に水蒸気の発生源がない場合には、冬期間の乾燥した空気と相俟って室内乾燥がさらに進むことになる。
【０００７】
つまり、ＦＦ式ストーブは室内の空気を排気ガスで汚さないというメリットを有するが、室内の乾燥化を加速するというデメリットも有しており、その結果、前述のような諸問題を惹起している。
昨今の高断熱・高気密住宅や、衛生面・安全面を重視した新しいタイプの暖房機に適応する対策が求められており、この冬期間の室内乾燥化を緩和し適度な湿度を得るためには、高額な加湿器や加湿機能付きの空気清浄器等に頼らざるを得ないのが実状である。
【０００８】
また各メーカーにより、同じＦＦ式ストーブでも火力能力や温風吹出し口の位置（高さ）や送風ルーバの角度が異なるために、手軽に移動ができてストーブの能力や温風吹出し口の高さや角度に合わせて、蒸発板の蒸発面積や傾斜角を自在に変えられる簡易加湿器が望まれていた。
【０００９】
本発明は、昨今の住宅事情と暖房器具の技術的変換に伴う、新規の生活スタイルに鑑みてなされたものであり、単純構造ながらストーブの能力と室内の湿度状況に応じて加湿器の蒸発面積を増減でき、且つ、各メーカーの温風吹出し口の位置に応じて、温風を遮ることなく蒸発板の傾斜角を自在に変えられる、廉価な簡易加湿器の提供を課題としている。
【課題を解決するための手段】
【００１０】
水を満たした容器１と、矩形で多孔質の蒸発板２と、該蒸発板２に被着させる吸水性素材３とからなり、前記容器１内の底面中央部には、該容器１の前面から等間隔に複数列の係止突起４が設けられている。  前記蒸発板２は、外枠２ａに中枠２ｂを密接状態に収納し、上下に摺動可能に形設されている。
前記吸水性素材３を被着させた前記蒸発板２の下端を、前記係止突起４の適宜な位置に係止することにより、ストーブの火力に合わせて前記蒸発板２の蒸発面積と傾斜角を任意に変えることができる。
【発明の効果】
【００１１】
本発明は下記の効果を発揮する。
１、単純な仕組みで構成部品数が少なく、廉価に製造できる。
２、蒸発板２は、外枠２ａ内に中枠２ｂが収納されて上下に伸縮し、蒸発面積を増減できる。
３、ストーブの吹出し口の位置・角度に合わせ、蒸発板２の傾斜角を自在に変えることができる。
４、自然法則の活用で電気は不要であり、ストーブの温風吹出し口前に置くだけでよい。
５、矩形の蒸発板２は後傾しているので温風を遮らず、温風は傾斜に沿って上昇する。
６、吸水性素材３の露出面は温風で暖められて蒸発するため、連続して水を吸い上げる。
７、吸水性素材３で蒸発板２全体を被着しているので、裏面も含めて蒸発露出面が大きい。
８、容器１の上部は解放されているため、水面が温風に直に暖められて蒸発を促す。
９、吸水性素材３は容器１の底まで浸かっているために、補給水は１日１回程度で良い。
１０、水を入れる容器１には蓋がないので、補給水が簡単に行える。
１１、天気の良い日中のストーブ消火後には、容器１を日向に置いて太陽熱でも蒸発できる。
１２、夏場の不要時には簡単に片づけられ、コンパクトに纏められるので収納場所を取らない。
１３、室内空気中の水蒸気の増加によって体感温度も上がり、従来よりも暖かく感じる。
【図面の簡単な説明】
【００１２】
【図１】本発明の一実施例の一部切欠き断面図
【図２】本発明の一実施例の分割斜視図
【図３】本発明の一実施例の概略説明図
【発明を実施するための形態】
【００１３】
本発明は、水を満たした容器１内の蒸発板２がストーブの能力に合わせ蒸発面積の増減が可能であることと、容器１内の複数列の係止突起４のうち適切な位置を選定して蒸発板２を後傾させることにある。
以上の構成により、常温の水を吸水性素材３に毛細管現象で浸潤させ、ＦＦ式ストーブＡの温風で蒸発・気化させた水蒸気を室内に拡散させるものである。
【実施例】
【００１４】
本実施例では、容器１と蒸発板２は樹脂製品を採用し、吸水性素材３は蒸発板２のサイズに合うタオル地の布を使用した。
水を入れる容器１のサイズ（ミリ）は、２５０Ｗ×２００Ｄ×１５０Ｈとし、  多孔質の蒸発板２は、２００Ｗ×３５０Ｈの網目状の板を使用したが、これらは熱伝導率の高い金属製としても良い。
なお、吸水性素材３は、他にも紙素材や合成繊維素材、パルプ素材等の吸水性に富んだ素材から選定しても良い。
【００１５】
以下に実施例を基に、各図を参照にして以下に作用及び動作を説明する。
図１は、本発明の一実施例の一部切欠き断面図である。
水を満たした容器１内底面の中央部には、等間隔に複数列の係止突起４が設けられており、伸長した蒸発板２は吸水性素材３で全体が被着されている。
使用するＦＦ式ストーブの能力に合わせて、蒸発板２の中枠２ｂを上下にスライドさせて蒸発面積を任意に設定でき、同時にストーブの温風吹き出し口の高さや角度に合わせ、最適な位置の係止突起４に蒸発板２下端を係止させて後傾角度を設定する。
【００１６】
図２は、本発明の一実施例の分割斜視図である。
本発明は、容器１と、伸縮機能付きの矩形で多孔質の蒸発板２と、吸水性素材３のわずか数点の少ない部材から構成されている。  なお、図の蒸発板２は縮小した状態を示している。
蒸発板２全体に吸水性素材３を被着させ、水を満たした容器１内に蒸発板２を落とし込み、容器１内底面に形設された複数列の係止突起４のうち、適宜な位置に係止して後傾角度を決定する。
【００１７】
図３は、本発明の一実施例の概略説明図である。
本発明の使用時の状態を示したものであり、蒸発板２は縮小状態を示している。
水を満たした容器１内に、吸水性素材３で全体を被着させた蒸発板２の下端を、最適な位置の係止突起４に係止して蒸発板２を後傾角度決め、さらにＦＦ式ストーブＡの火力に合わせて蒸発板２の蒸発面積を決めて、送風ルーバＢからの温風を遮らないようにＦＦ式ストーブＡの前に置く。  
なお、太い矢印は温風の流れを表わし、細い矢印は蒸発を表わしている。
【００１８】
ＦＦ式ストーブが燃焼すると吹出し口からの温風は、後傾した蒸発板２の全体を被着したタオル地の布の露出面に当たり、温風は前方を遮られることなく傾斜に沿って上方に流れる。
その際に、温風が当たるタオル地布面の水分が蒸発し、容器１の底まで浸漬したタオル地の布の表裏から毛細管現象で常に水を吸い上げ、タオル地裏面からも蒸発する。
なお、吸水性素材３は容器１の底まで達しているので補給水は１日に１回程度で良く、容器１の上部が解放されているため補給水も簡単に行える。
【００１９】
本発明の特徴は容器１の上部が解放されており、使用するストーブの火力に応じて蒸発板２の蒸発面積を増減することができ、最適な位置の係止突起４に係止することで後傾角度が決められ、ストーブからの温風を阻止することなく効率的に蒸発量の増加を促すものである。
また、吸水性素材３自体の表裏面の蒸発量だけではなく、容器１の水面に温風が直に当たることにより蒸発を促し、天気の良い日中にはＦＦ式ストーブＡの消火後も本発明を日向に向け、自然の太陽熱で蒸発させることも可能である。
【００２０】
本発明によれば、マンション住宅１５畳居間の実証試験において、前述したサイズ構成で現状室内温度２０度・湿度が３５％の時、本発明の使用後には２ポイントの湿度上昇がみられた。
さらに、蒸発面積の増減機能付きなので湿度含有率を高めることが可能であり、それに伴い体感的にも暖かく感じられるものと推察される。
【産業上の利用可能性】
【００２１】
本発明は、少ない部材からなる単純構造なので廉価にでき、自然法則の活用で電気も不要で故障も無く、ＦＦ式ストーブの火力能力に応じて蒸発板面積を増減でき、また各メーカーのＦＦ式ストーブの温風吹出し口の位置（高さ）や、送風ルーバＢの角度に合わせて蒸発板の傾斜角が自在に変えられるメリットがある。
冬期間の室内の乾燥を緩和することで健康を維持し、昨今、多発傾向にある各種ウィルス対策にも貢献する有益な発明である。
【符号の説明】
【００２２】
１    容器
２   蒸発板
２ａ  外枠
２ｂ  中枠
３    吸水性素材
４    係止突起
Ａ    ＦＦ式ストーブ
Ｂ    送風ルーバ
【要約】
【課題】  昨今の住宅事情や暖房機の技術的変換に伴う生活スタイルに合わせ、単純構造で廉価な簡易加湿器を提供する。
【解決手段】  水を満たした容器１と、矩形で多孔質の蒸発板２と、該蒸発板２に被着させる吸水性素材３とからなり、前記容器１の内側底面中央部の前面から等間隔に複数列の係止突起４を設け、前記蒸発板２は外枠２ａ内に中枠２ｂを密接状態に収納し、上下に摺動可能に形設する。
前記吸水性素材３を被着させた前記蒸発板２の下端を、前記係止突起４の最適な位置に係止することで、前記蒸発板２の傾斜角と蒸発面積を任意に変えられる。  
【選択図】  図１【図１】
0006741894.tif 000002
【図２】
0006741894.tif 000003
【図３】
0006741894.tif 000004